(57)【要約】      （修正有）【課題】遠距離無線通信を行う分離式音声朗読のボイスペンを提供する。【解決手段】ペン本体、ペン先、少なくとも１つのスピーカー４、及び電池収納部から主に構成される。ペン先はペン本体の前端部に設けられて印刷品表面に印刷される網目状パターンを判読させ、少なくとも１つのスピーカー４はペン先で判読されるデータを所定の言語で読み上げる。電池収納部はペン本体の内部に設けられ、ペン先及び少なくとも１つのスピーカー４の作動に必要な電力を供給する電池を収納させる。少なくとも１つのスピーカー４はペン本体とは分離され、内部には共にワイヤレス通信モジュール２４が内蔵され、これらワイヤレス通信モジュール２４がペン先で判読されるデータを受信した後、データを無線信号方式により少なくとも１つのスピーカー４に発信させ読み上げ動作を行う。【選択図】図６
0003190218.tif 000002
【実用新案登録請求の範囲】
【請求項１】
ペン本体と、
前記ペン本体の先端部に設けられ、印刷品表面に印刷される網目状パターンの判読に用いられるペン先と、
前記ペン先で判読されるデータを所定の言語で読み上げる少なくとも１つのスピーカーと、
前記ペン本体の内部に設けられ、前記ペン先及び前記少なくとも１つのスピーカーの作動に必要な電力を供給する電池を収納させる電池収納部を備える分離式音声朗読のブルートゥース（登録商標）ボイスペンであって、
前記少なくとも１つのスピーカーと前記ペン本体とは分離され、内部には共にワイヤレス通信モジュールが内蔵され、前記ワイヤレス通信モジュールが前記ペン先で判読されるデータを受信した後、前記データを無線信号方式で前記少なくとも１つのスピーカーに発信して読み上げ動作を行うことを特徴とする、
分離式音声朗読のブルートゥースボイスペン。
【請求項２】
前記少なくとも１つのスピーカーはブルートゥースイヤホン或いはブルートゥーススピーカーであることを特徴とする、請求項１に記載の分離式音声朗読のブルートゥースボイスペン。
【請求項３】
前記ワイヤレス通信モジュールはブルートゥースモジュールであることを特徴とする、請求項１に記載の分離式音声朗読のブルートゥースボイスペン。
【請求項４】
前記ペン本体の後端部にはペン本体の外径が太い円柱体が形成されることを特徴とする、請求項１に記載の分離式音声朗読のブルートゥースボイスペン。
【請求項５】
前記電池収納部はペン本体の中間区段後方の内部に設けられ、収納される電池はリチウム電池であることを特徴とする、請求項１に記載の分離式音声朗読のブルートゥースボイスペン。
【請求項６】
前記電池収納部の表面には滑動式の電池蓋が更に設置されることを特徴とする、請求項１に記載の分離式音声朗読のブルートゥースボイスペン。
【請求項７】
前記ペン本体の中間区段前方には翻訳する言語を選択させる複数のボイスボタンが更に設置されることを特徴とする、請求項１に記載の分離式音声朗読のブルートゥースボイスペン。
【請求項８】
前記ペン本体の側方にはパソコンの信号に接続させるＵＳＢソケットが更に設置されることを特徴とする、請求項１に記載の分離式音声朗読のブルートゥースボイスペン。
【考案の詳細な説明】
【技術分野】
【０００１】
本考案は、文字スキャンを備え、言語を翻訳し発音するペン型翻訳機に関し、より詳しくは遠距離無線通信を行う分離式音声朗読のブルートゥース（登録商標）ボイスペンに関する。
【背景技術】
【０００２】
特許文献１には、造形ボイスペン（三）が開示されている。流線型のペン本体により構成され、ペン本体の前端には円錐形のペン先が設けられる先端部を有し、ペン本体の後端には外径がペン本体の外径より大きい円柱体が設けられ、前記円柱体の外端部には複数の増音孔が設けられ、これら前記増音孔は円柱体の中心を円心とし放射状に等距離で配列される。
このほか、ペン本体の上側の表面には複数の不等距離で配列されるボイスボタンが設置され、前記ボタンの形状は小から大へと順に並び、楕円形の外観を呈する。ユーザーが翻訳する言語を選択させるペン本体の側辺にはパソコンの信号に接続されるＵＳＢソケットが設けられ、ペン本体の下側にはペン本体を嵌装させる滑動式の電池蓋が設けられ、前記電池蓋の形状はペン本体と一体となる。これにより、前記考案は一般的な造形ボイスペンの方形板の造形ではなく、使用環境に合わせて設計されており、視覚的に軽快である。
【先行技術文献】
【特許文献】
【０００３】
【特許文献１】台湾実用新案出願公開第３１２１１２３号明細書
【考案の概要】
【考案が解決しようとする課題】
【０００４】
前述した従来のボイスペン技術は、読み取り、翻訳、朗読、言語選択等多くの機能を兼ね備えるが、朗読に用いられる増音孔はボイスペンに直接設置されるため、ボイスペンによる朗読では可聴範囲がペンを持つ本人のみになり、また図書館等の安静にしなければならない場所で使用する場合、本来の朗読機能を利用できない。
即ち前述の機能は使用環境によって制限を受けることになり、本来の機能を発揮出来ず無駄になるため、従来の造形ボイスペンには多くの改善の余地を残す。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、分離式音声朗読のブルートゥースボイスペンを提供することを主目的とする。
【課題を解決するための手段】
【０００７】
上述した課題を解決し、目的を達成するために、本考案に係る分離式音声朗読のブルートゥースボイスペンは、ペン本体と、前記ペン本体の先端部に設けられ、印刷品表面に印刷される網目状パターンの判読に用いられるペン先と、前記ペン先で判読されるデータを所定の言語で読み上げる少なくとも１つのスピーカーと、前記ペン本体の内部に設けられ、前記ペン先及び前記少なくとも１つのスピーカーの作動に必要な電力を供給する電池を収納させる電池収納部を備える分離式音声朗読のブルートゥースボイスペンであって、前記少なくとも１つのスピーカーと前記ペン本体とは分離され、内部には共にワイヤレス通信モジュールが内蔵され、これら前記ワイヤレス通信モジュールが前記ペン先で判読されるデータを受信させた後、前記データを無線信号方式で前記少なくとも１つのスピーカーに発信させ読み上げ動作を行うことを特徴とする。
【０００８】
これにより、前記少なくとも１つのスピーカーはブルートゥースイヤホン或いはブルートゥーススピーカー等で朗読を行い、ブルートゥースのワイヤレス通信モジュールによりボイスペン本体との遠距離無線通信を行い、本考案の使用に際しユーザーは異なる環境及びユーザー自身の需要に合わせて最も好ましい朗読方式を選択させる。
大勢で言語学習を行う場合はブルートゥーススピーカーによる朗読方式を選択させ、図書館等の安静にしなければならない場所の場合はブルートゥースイヤホンによる朗読方式を選択させる。これにより、ボイスペン本来の朗読機能が制限を受けずに利用でき、より好ましい読み取り及び朗読を達成させる。
【考案の効果】
【０００９】
本考案によれば、従来の造形ボイスペンに遠距離無線通信機能を付加させ、本来の朗読機能に制限を受けさせず、好ましい読み取り及び朗読効果が得られる。
【図面の簡単な説明】
【００１０】
【図１】本考案の一実施形態に係る分離式音声朗読のブルートゥースボイスペンを示す傾斜の外観図である。
【図２】本考案の一実施形態に係る分離式音声朗読のブルートゥースボイスペンを他の角度から示す傾斜の外観図である。
【図３】本考案の一実施形態に係る分離式音声朗読のブルートゥースボイスペンを示す読取状態の概略図である。
【図４】本考案の一実施形態に係る分離式音声朗読のブルートゥースボイスペンを示す伝送状態の概略図（一）である。
【図５】本考案の一実施形態に係る分離式音声朗読のブルートゥースボイスペンを示す伝送状態の概略図（二）である。
【図６】本考案の一実施形態に係る分離式音声朗読のブルートゥースボイスペンを示す伝送状態の概略図（三）である。
【図７】本考案の一実施形態に係る分離式音声朗読のブルートゥースボイスペンを示す伝送状態の概略図（四）である。
【考案を実施するための形態】
【００１１】
以下に図面を参照して、本考案を実施するための形態について、詳細に説明する。なお、本考案は、以下に説明する実施形態に限定されるものではない。
【００１２】
（第１実施形態）
以下、分離式音声朗読のブルートゥースボイスペンを図１〜４に基づいて説明する。本考案に係る分離式音声朗読のブルートゥースボイスペン１はペン本体２、ペン先２２、少なくとも１つのスピーカー４、及び電池収納部２６を主に備える。
前記ペン本体２は分離式音声朗読のブルートゥースボイスペン１の本体であり、後端部にはペン本体の外径が太い円柱体が形成され、先端部には前記ペン先２２が設置されて印刷品表面３に印刷される網目状パターンを判読させる。前記少なくとも１つのスピーカー４は前記円柱体の側方の内部に設けられると共に前記ペン先２２で判読されるデータを所定の言語でブルートゥースイヤホン或いはブルートゥーススピーカーを用いて読み上げる。
前記電池収納部２６はペン本体２の中間区段後方の内部に設けられると共に前記ペン先２２及び前記少なくとも１つのスピーカー４の作動に必要な電力を供給する電池を収納させ、前記電池収納部２６の表面には滑動式の電池蓋２５が更に設置され、収納される電池はｉ系リチウム電池である。
【００１３】
また、分離式音声朗読のブルートゥースボイスペン１のペン本体２の中間区段前方には翻訳する言語を選択させるための複数のボイスボタン２１が更に設置され、前記ペン本体２の側方にはパソコンの信号に接続させるＵＳＢソケット２３が更に設置される。
本考案の分離式音声朗読のブルートゥースボイスペン１は、前記少なくとも１つのスピーカー４が前記ペン本体２とは分離して設置され、内部には共に無線通信メカニズムが内蔵される。前記ペン本体２の内部にはワイヤレス通信モジュール２４が設置され、前記ワイヤレス通信モジュール２４はブルートゥースモジュールであり、前記ペン先２２で判読されるデータを受信させた後、前記データを無線通信方式により前記少なくとも１つのスピーカー４に発信させて朗読動作が行われる。
【００１４】
図３に示すように、前記ペン先２２が印刷品表面３に印刷される網目状パターンを読み取った後、これらのデータは暗号化方式でペン本体１内部の処理装置に伝送されて判別される。この際前記ペン本体１の内部に設けられるワイヤレス通信モジュール２４はこれら前記データをブルートゥース無線通信方式で前記少なくとも１つのスピーカー４に送信させ、同じ暗号に対応する言語を前記少なくとも１つのスピーカー４により読み上げる。
朗読過程では、ユーザーは前記ペン本体１の外部のボイスボタン２１により翻訳する言語を選択させ、この際前記ペン本体１とは分離されるスピーカー４が言語を読み上げると、阻害されずにユーザーに直接伝達されるため最も好ましい朗読効果が得られる。
【００１５】
本考案の分離式音声朗読のブルートゥースボイスペン１の好ましい実施形態によれば、前記少なくとも１つのスピーカー４はブルートゥースのワイヤレス通信モジュール２４によりボイスペン本体と遠距離無線通信を行う特性を有するため、ブルートゥースイヤホン或いはブルートゥーススピーカーにより朗読を行う（図４乃至図７参考）。
このためユーザー毎の異なる使用環境及びユーザー自身の需要に合わせて最も好ましい朗読方式を選択させ、前記少なくとも１つのスピーカー４の数量も需要に合わせて変更可能である。また本考案によるワイヤレス通信モジュール２４によりボイスペン本体と各スピーカー４とは一対一や一対複数で無線通信を行いデータを転送させ、その転送方式にも制限はない。
【００１６】
従って、ユーザーが本考案に係る分離式音声朗読のブルートゥースボイスペン１を使用し大勢で言語学習を行う場合、前記少なくとも１つのスピーカー４にブルートゥーススピーカーを選択させて朗読を行い、言語の内容を大勢に聞かせる目的を達成させる。
ユーザーが図書館等安静にしなければならない場所にいる場合、前記少なくとも１つのスピーカー４にブルートゥースイヤホンを選択させて朗読を行えばボイスペン本来の朗読機能は制限を受けず、更に好ましい読み取り及び朗読効果を達成させる。
【００１７】
以上、本考案の実施形態について図面を参照して詳述したが、具体的な構成はこの実施形態に限られるものではなく、本考案の要旨を逸脱しない範囲の設計変更等も含まれる。
【符号の説明】
【００１８】
１    分離式音声朗読のブルートゥースボイスペン
２    ペン本体
２１  ボイスボタン
２２  ペン先
２３  ＵＳＢソケット
２４  ワイヤレス通信モジュール
２５  電池蓋
２６  電池収納部
３    印刷品表面
４    スピーカー
【図１】
0003190218.tif 000003
【図２】
0003190218.tif 000004
【図３】
0003190218.tif 000005
【図４】
0003190218.tif 000006
【図５】
0003190218.tif 000007
【図６】
0003190218.tif 000008
【図７】
0003190218.tif 000009
【手続補正書】
【提出日】平成26年2月17日(2014.2.17)
【手続補正１】
【補正対象書類名】実用新案登録請求の範囲
【補正対象項目名】全文
【補正方法】変更
【補正の内容】
【実用新案登録請求の範囲】
【請求項１】
ペン本体と、
前記ペン本体の先端部に設けられ、印刷品表面に印刷される網目状パターンの判読に用いられるペン先と、
前記ペン先で判読されるデータを所定の言語で読み上げる少なくとも１つのスピーカーと、
前記ペン本体の内部に設けられ、前記ペン先及び前記少なくとも１つのスピーカーの作動に必要な電力を供給する電池を収納させる電池収納部を備える分離式音声朗読のボイスペンであって、
前記少なくとも１つのスピーカーと前記ペン本体とは分離され、内部には共にワイヤレス通信モジュールが内蔵され、前記ワイヤレス通信モジュールが前記ペン先で判読されるデータを受信した後、前記データを無線信号方式で前記少なくとも１つのスピーカーに発信して読み上げ動作を行うことを特徴とする、
分離式音声朗読のボイスペン。
【請求項２】
前記少なくとも１つのスピーカーはブルートゥース(登録商標)イヤホン或いはブルートゥーススピーカーであることを特徴とする、請求項１に記載の分離式音声朗読のボイスペン。
【請求項３】
前記ワイヤレス通信モジュールはブルートゥースモジュールであることを特徴とする、請求項１に記載の分離式音声朗読のボイスペン。
【請求項４】
前記ペン本体の後端部にはペン本体の外径が太い円柱体が形成されることを特徴とする、請求項１に記載の分離式音声朗読のボイスペン。
【請求項５】
前記電池収納部はペン本体の中間区段後方の内部に設けられ、収納される電池はリチウム電池であることを特徴とする、請求項１に記載の分離式音声朗読のボイスペン。
【請求項６】
前記電池収納部の表面には滑動式の電池蓋が更に設置されることを特徴とする、請求項１に記載の分離式音声朗読のボイスペン。
【請求項７】
前記ペン本体の中間区段前方には翻訳する言語を選択させる複数のボイスボタンが更に設置されることを特徴とする、請求項１に記載の分離式音声朗読のボイスペン。
【請求項８】
前記ペン本体の側方にはパソコンの信号に接続させるＵＳＢソケットが更に設置されることを特徴とする、請求項１に記載の分離式音声朗読のボイスペン。
【手続補正２】
【補正対象書類名】明細書
【補正対象項目名】全文
【補正方法】変更
【補正の内容】
【考案の詳細な説明】
【技術分野】
【０００１】
本考案は、文字スキャンを備え、言語を翻訳し発音するペン型翻訳機に関し、より詳しくは遠距離無線通信を行う分離式音声朗読のボイスペンに関する。
【背景技術】
【０００２】
特許文献１には、造形ボイスペン（三）が開示されている。流線型のペン本体により構成され、ペン本体の前端には円錐形のペン先が設けられる先端部を有し、ペン本体の後端には外径がペン本体の外径より大きい円柱体が設けられ、前記円柱体の外端部には複数の増音孔が設けられ、これら前記増音孔は円柱体の中心を円心とし放射状に等距離で配列される。
このほか、ペン本体の上側の表面には複数の不等距離で配列されるボイスボタンが設置され、前記ボタンの形状は小から大へと順に並び、楕円形の外観を呈する。ユーザーが翻訳する言語を選択させるペン本体の側辺にはパソコンの信号に接続されるＵＳＢソケットが設けられ、ペン本体の下側にはペン本体を嵌装させる滑動式の電池蓋が設けられ、前記電池蓋の形状はペン本体と一体となる。これにより、前記考案は一般的な造形ボイスペンの方形板の造形ではなく、使用環境に合わせて設計されており、視覚的に軽快である。
【先行技術文献】
【特許文献】
【０００３】
【特許文献１】台湾実用新案出願公開第３１２１１２３号明細書
【考案の概要】
【考案が解決しようとする課題】
【０００４】
前述した従来のボイスペン技術は、読み取り、翻訳、朗読、言語選択等多くの機能を兼ね備えるが、朗読に用いられる増音孔はボイスペンに直接設置されるため、ボイスペンによる朗読では可聴範囲がペンを持つ本人のみになり、また図書館等の安静にしなければならない場所で使用する場合、本来の朗読機能を利用できない。
即ち前述の機能は使用環境によって制限を受けることになり、本来の機能を発揮出来ず無駄になるため、従来の造形ボイスペンには多くの改善の余地を残す。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、分離式音声朗読のボイスペンを提供することを主目的とする。
【課題を解決するための手段】
【０００７】
上述した課題を解決し、目的を達成するために、本考案に係る分離式音声朗読のボイスペンは、ペン本体と、前記ペン本体の先端部に設けられ、印刷品表面に印刷される網目状パターンの判読に用いられるペン先と、前記ペン先で判読されるデータを所定の言語で読み上げる少なくとも１つのスピーカーと、前記ペン本体の内部に設けられ、前記ペン先及び前記少なくとも１つのスピーカーの作動に必要な電力を供給する電池を収納させる電池収納部を備える分離式音声朗読のボイスペンであって、前記少なくとも１つのスピーカーと前記ペン本体とは分離され、内部には共にワイヤレス通信モジュールが内蔵され、これら前記ワイヤレス通信モジュールが前記ペン先で判読されるデータを受信させた後、前記データを無線信号方式で前記少なくとも１つのスピーカーに発信させ読み上げ動作を行うことを特徴とする。
【０００８】
これにより、前記少なくとも１つのスピーカーはブルートゥース(登録商標)イヤホン或いはブルートゥーススピーカー等で朗読を行い、ブルートゥースのワイヤレス通信モジュールによりボイスペン本体との遠距離無線通信を行い、本考案の使用に際しユーザーは異なる環境及びユーザー自身の需要に合わせて最も好ましい朗読方式を選択させる。
大勢で言語学習を行う場合はブルートゥーススピーカーによる朗読方式を選択させ、図書館等の安静にしなければならない場所の場合はブルートゥースイヤホンによる朗読方式を選択させる。これにより、ボイスペン本来の朗読機能が制限を受けずに利用でき、より好ましい読み取り及び朗読を達成させる。
【考案の効果】
【０００９】
本考案によれば、従来の造形ボイスペンに遠距離無線通信機能を付加させ、本来の朗読機能に制限を受けさせず、好ましい読み取り及び朗読効果が得られる。
【図面の簡単な説明】
【００１０】
【図１】本考案の一実施形態に係る分離式音声朗読のボイスペンを示す傾斜の外観図である。
【図２】本考案の一実施形態に係る分離式音声朗読のボイスペンを他の角度から示す傾斜の外観図である。
【図３】本考案の一実施形態に係る分離式音声朗読のボイスペンを示す読取状態の概略図である。
【図４】本考案の一実施形態に係る分離式音声朗読のボイスペンを示す伝送状態の概略図（一）である。
【図５】本考案の一実施形態に係る分離式音声朗読のボイスペンを示す伝送状態の概略図（二）である。
【図６】本考案の一実施形態に係る分離式音声朗読のボイスペンを示す伝送状態の概略図（三）である。
【図７】本考案の一実施形態に係る分離式音声朗読のボイスペンを示す伝送状態の概略図（四）である。
【考案を実施するための形態】
【００１１】
以下に図面を参照して、本考案を実施するための形態について、詳細に説明する。なお、本考案は、以下に説明する実施形態に限定されるものではない。
【００１２】
（第１実施形態）
以下、分離式音声朗読のボイスペンを図１〜４に基づいて説明する。本考案に係る分離式音声朗読のボイスペン１はペン本体２、ペン先２２、少なくとも１つのスピーカー４、及び電池収納部２６を主に備える。
前記ペン本体２は分離式音声朗読のボイスペン１の本体であり、後端部にはペン本体の外径が太い円柱体が形成され、先端部には前記ペン先２２が設置されて印刷品表面３に印刷される網目状パターンを判読させる。前記少なくとも１つのスピーカー４は前記円柱体の側方の内部に設けられると共に前記ペン先２２で判読されるデータを所定の言語でブルートゥースイヤホン或いはブルートゥーススピーカーを用いて読み上げる。
前記電池収納部２６はペン本体２の中間区段後方の内部に設けられると共に前記ペン先２２及び前記少なくとも１つのスピーカー４の作動に必要な電力を供給する電池を収納させ、前記電池収納部２６の表面には滑動式の電池蓋２５が更に設置され、収納される電池はｉ系リチウム電池である。
【００１３】
また、分離式音声朗読のボイスペン１のペン本体２の中間区段前方には翻訳する言語を選択させるための複数のボイスボタン２１が更に設置され、前記ペン本体２の側方にはパソコンの信号に接続させるＵＳＢソケット２３が更に設置される。
本考案の分離式音声朗読のボイスペン１は、前記少なくとも１つのスピーカー４が前記ペン本体２とは分離して設置され、内部には共に無線通信メカニズムが内蔵される。前記ペン本体２の内部にはワイヤレス通信モジュール２４が設置され、前記ワイヤレス通信モジュール２４はブルートゥースモジュールであり、前記ペン先２２で判読されるデータを受信させた後、前記データを無線通信方式により前記少なくとも１つのスピーカー４に発信させて朗読動作が行われる。
【００１４】
図３に示すように、前記ペン先２２が印刷品表面３に印刷される網目状パターンを読み取った後、これらのデータは暗号化方式でペン本体１内部の処理装置に伝送されて判別される。この際前記ペン本体１の内部に設けられるワイヤレス通信モジュール２４はこれら前記データをブルートゥース無線通信方式で前記少なくとも１つのスピーカー４に送信させ、同じ暗号に対応する言語を前記少なくとも１つのスピーカー４により読み上げる。
朗読過程では、ユーザーは前記ペン本体１の外部のボイスボタン２１により翻訳する言語を選択させ、この際前記ペン本体１とは分離されるスピーカー４が言語を読み上げると、阻害されずにユーザーに直接伝達されるため最も好ましい朗読効果が得られる。
【００１５】
本考案の分離式音声朗読のボイスペン１の好ましい実施形態によれば、前記少なくとも１つのスピーカー４はブルートゥースのワイヤレス通信モジュール２４によりボイスペン本体と遠距離無線通信を行う特性を有するため、ブルートゥースイヤホン或いはブルートゥーススピーカーにより朗読を行う（図４乃至図７参考）。
このためユーザー毎の異なる使用環境及びユーザー自身の需要に合わせて最も好ましい朗読方式を選択させ、前記少なくとも１つのスピーカー４の数量も需要に合わせて変更可能である。また本考案によるワイヤレス通信モジュール２４によりボイスペン本体と各スピーカー４とは一対一や一対複数で無線通信を行いデータを転送させ、その転送方式にも制限はない。
【００１６】
従って、ユーザーが本考案に係る分離式音声朗読のボイスペン１を使用し大勢で言語学習を行う場合、前記少なくとも１つのスピーカー４にブルートゥーススピーカーを選択させて朗読を行い、言語の内容を大勢に聞かせる目的を達成させる。
ユーザーが図書館等安静にしなければならない場所にいる場合、前記少なくとも１つのスピーカー４にブルートゥースイヤホンを選択させて朗読を行えばボイスペン本来の朗読機能は制限を受けず、更に好ましい読み取り及び朗読効果を達成させる。
【００１７】
以上、本考案の実施形態について図面を参照して詳述したが、具体的な構成はこの実施形態に限られるものではなく、本考案の要旨を逸脱しない範囲の設計変更等も含まれる。
【符号の説明】
【００１８】
１    分離式音声朗読のボイスペン
２    ペン本体
２１  ボイスボタン
２２  ペン先
２３  ＵＳＢソケット
２４  ワイヤレス通信モジュール
２５  電池蓋
２６  電池収納部
３    印刷品表面
４    スピーカー